(57)【要約】      （修正有）【課題】扁平な箱状の封筒の内部に、ゴムばねを伸張して平面的形状とした立体状の被収納物を収納し、封筒を開いたときに、ゴムばねが元に戻ることによって被収納物が立体状に戻って外に飛び出る、飛び出す封筒セットを提供する。【解決手段】扁平な箱状の封筒２と、平面的形状と立体的形状のいずれにも変形可能な被収納物３とから封筒セット１を構成し、前記被収納物３は内側に設けられたゴムばねが伸張して平面的形状を保った状態で前記封筒２に収納され、前記封筒２を開放すると、前記ゴムばねの元の長さに戻ろうとする力と連動して、前記被収納物３が立体的形状に変化し、前記開放した封筒３から外に飛び出す。【選択図】図２
0003143424.tif 000002
【実用新案登録請求の範囲】
【請求項１】
扁平な箱状の封筒と、平面的形状と立体的形状のいずれにも変形可能な被収納物からなる封筒セットであって、
前記被収納物は内側に設けられたゴムばねが伸張して平面的形状を保った状態で前記封筒に収納され、
前記封筒を開放すると、前記ゴムばねの元の長さに戻ろうとする力と連動して、前記被収納物が立体的形状に変化し、前記開放した封筒から外に飛び出すことを特徴とする飛び出す封筒セット。
【請求項２】
前記封筒は、前記被収納物を載置する四角形状の平面の一の対向辺に内側折曲片を設け、他の対向辺に外側折曲片を設けるとともに、前記外側折曲片の一方に差込溝を形成し、この差込溝に挿入する差込片を前記外側折曲片の他方に設け、前記封筒をふさぐためには、前記の両内側折曲片を折り曲げ、前記の両外側折曲片を折り曲げて重ね合わせるとともに、前記差込片を、前記差込溝に挿入する構成にしたことを特徴とする請求項１に記載の飛び出す封筒セット。
【請求項３】
前記ゴムばねが伸張していないときの前記被収納物の形状は四角柱であり、一の対向する側辺の一方の中央部付近から他方の中央部付近の間に前記ゴムばねを張り渡すとともに、前記の各側辺を共有する側面の上下両方の隣接する２辺の間に、内側に折込可能な折込片を設けて前記ゴムばねの伸縮を調整することを特徴とする請求項１または２に記載の飛び出す封筒セット。
【請求項４】
前記四角柱は、立方体であることを特徴とする請求項３に記載の飛び出す封筒セット。
【請求項５】
前記対向する側辺のそれぞれに耳片を連設し、各耳片にゴム通し孔を設け、前記ゴムばねを、両ゴム通し孔の間に張ることを特徴とする請求項３または４のいずれかに記載の飛び出す封筒セット。
【請求項６】
前記被収納物の表面にカレンダーを印刷し、前記封筒に入れて配布される卓上カレンダーとして利用できることを特徴とする請求項１〜５のいずれか１に記載の飛び出す封筒セット。
【請求項７】
前記被収納物の表面にはメッセージを記入でき、前記封筒には宛先を記入し、切手を貼って郵送可能なグリーティングカードセットとして利用できることを特徴とする請求項１〜５のいずれか１に記載の飛び出す封筒セット。
【考案の詳細な説明】
【技術分野】
【０００１】
扁平な箱状の封筒の内部に、本来は立体状の被収納物を、ゴムばねを伸張して平面的形状として収納し、封筒を開いたときに、ゴムばねが元に戻ることによって被収納物が立体状に戻って外に飛び出る、飛び出す封筒セットに関する。
【背景技術】
【０００２】
昔から、びっくり箱と呼ばれる玩具は人気がある。人は、元来可愛らしく、かつ、意表をつくアイテムを好む傾向があるからである。
最近では、飛び出す絵本が広く親しまれるようになってきている。グリーティングカードも従来は、平面的な厚紙に絵や文字が印刷され、その余白にメッセージが書けるものが多かったが、特許文献１に提案されているように、びっくり箱に類似した印象を与える封筒セットも見かけるようになってきた。
【０００３】
【特許文献１】特開２００６−２１９１８０号公報
【考案の開示】
【考案が解決しようとする課題】
【０００４】
特許文献１に記載された封筒セットは、送られた相手にとって、意外性があり印象的ではある。しかしながら、平面的形状を、着色の工夫などによって立体的形状であるかのように見せかけているだけである。しかし、このような目の錯覚を利用するのではなく、実際に立体が平面的な封筒から飛び出したなら、相手に一層強い印象を与えることができる。
【０００５】
一方、年末になると、いろいろな会社が、顧客などに封筒に入れた卓上カレンダーを無償で配布している。しかし、いずれも似たようなありふれた外観をしているので、顧客に強く訴えかけるものがない。封筒を開けたときに、立体的カレンダーが飛び出したなら、その奇抜さにより、他社のカレンダーと差別化しうる。
また、クリスマスや誕生日用のカードにも、飛び出す絵本に類似したものが多くなっているとはいえ、封筒から直接に立体物が飛び出すわけではない。封筒から取り出そうとするときに立体状のカードが飛び出すならば、それは楽しくて意表をつくことだろう。
このような点に鑑み、本考案は、卓上カレンダーやグリーティングカードなどの用途に利用できる立体が飛び出す封筒セットを提供することを課題とする。
【課題を解決するための手段】
【０００６】
前記の目的を達成するために、本考案の飛び出す封筒セットは、扁平な箱状の封筒と、平面的形状と立体的形状のいずれにも変形可能な被収納物からなる封筒セットであって、前記被収納物は内側に設けられたゴムばねが伸張して平面的形状を保った状態で前記封筒に収納され、前記封筒を開放すると、前記ゴムばねの元の長さに戻ろうとする力と連動して、前記被収納物が立体的形状に変化し、前記開放した封筒から外に飛び出すことを特徴とする。
これにより、奇抜な封筒セットを提供できる。
【０００７】
前記封筒は、前記被収納物を載置する四角形状の平面の一の対向辺に内側折曲片を設け、他の対向辺に外側折曲片を設けるとともに、前記外側折曲片の一方に差込溝を形成し、この差込溝に挿入する差込片を前記外側折曲片の他方に設け、前記封筒をふさぐためには、前記の両内側折曲片を折り曲げ、前記の両外側折曲片を折り曲げて重ね合わせるとともに、前記差込片を、前記差込溝に挿入する構成にした点に特徴を有する。
これにより、封筒が不用意に開くことを防げる。
【０００８】
前記ゴムばねが伸張していないときの前記被収納物の形状は四角柱であり、一の対向する側辺の一方の中央部付近から他方の中央部付近の間に前記ゴムばねを張り渡すとともに、前記の各側辺を共有する側面の上下両方の隣接する２辺の間に、内側に折込可能な折込片を設けて前記ゴムばねの伸縮を調整する点に特徴を有する。
側辺とは、側面同士の境界をなす辺をいう。
折込片を内側に折込可能とするために、実施形態では、折込片を線対称に２分する位置に谷折りの折曲線を設けている。
【０００９】
前記四角柱は、立方体であってもよい。立方体は、最も扱いやすい四角柱だからである。
また、前記対向する側辺のそれぞれに耳片を連設し、各耳片にゴム通し孔を設け、前記ゴムばねを、両ゴム通し孔の間に張るようにしてもよい。側辺にゴムばねを直接貼り付けるよりも、強度が増すからである。
【００１０】
本考案の飛び出す封筒セットを、卓上カレンダーの配布用、あるいはグリーティングカードセットとして利用してもよい。
【考案の効果】
【００１１】
アイデア次第で、いろいろな利用が考えられる封筒セットを提供できる。
カレンダーやグリーティングカード等に利用するならば、その奇抜さ、面白さによって、送られた相手に強い印象を与えることができる。
【考案を実施するための最良の形態】
【００１２】
図面を参照しながら、本考案の好ましい実施形態に係る、飛び出す封筒セット（以下「封筒セット」）について説明する。
図１に示すように、封筒セット１は、扁平な箱状の封筒２と、その内側に収納される被収納物（以下、「内箱」）３とから構成されている。
封筒セット１が配布などされる際は、図１の下段に示すように、内箱３は封筒２の内部に収納されている。封筒２を開放すると、図２に示すように、内箱３が封筒２から外に飛び出す。
【００１３】
内箱３は、後に詳しく説明するように、内部にゴムばねが設けられているので、ゴムばねの伸縮によって、平面的形状と立体的形状のいずれにも変形可能であるが、封筒２の内部に収納されるときは、平面的形状をとる。内箱３には、伸びたゴムばねが元の長さに戻ろうとする力と連動して、元の立体的形状に戻ろうとする力が働くが、封筒２内に収納されることで、この力が抑制され、平面的形状を維持する。ここで、封筒２、内箱３のいずれも、厚紙製、ボール紙製、あるいは樹脂製であってもよく、被収納物が飛び出す封筒を実現できる硬さがあれば、その材質は問わない。
【００１４】
前記封筒２を展開した状態は、図３に示すとおりであり、上片４と、４つのマチ５と、下片６と、対向する１対の側片７と、下片６と対をなす蓋片８とからなる。ここで、１対の側片７は、請求項２の内側折曲片に相当し、下片６と蓋片８とが、請求項２の外側折曲片に相当する。また、上辺４とは、封筒の宛名などを記す表面のことであり、下片６とは封筒の裏面のことである。
蓋片８の先端には、差込片９を設け、この差込片９の両側に１対の差込端部９ａ、９ｂを設ける。下片６には、差込端部９ａ、９ｂに対応する位置に、１対の差込溝１０（１０ａ、１０ｂ）を設ける。
【００１５】
内箱３を内部に収納するには、封筒２の内側を表に向けた状態で展開し、上片４の上に平面的形状に変形させた内箱３を載せ、１対の側片７を内箱３の上に重ねるように折り曲げ、下片６を内箱３と側片７の上に重ねるように折り曲げる。続いて、下片６にかぶせるように蓋片８を折り曲げ、差込片端部９ａ、９ｂを差込溝１０ａ、１０ｂから下片６の裏側に挿入する。このように、差込片９を差込溝１０に挿入する構成としたので、不用意に蓋片８が開き封筒２が開放されることはない。これにより、意図しないときに、収納されている内箱３が飛び出すことを防止できる。
【００１６】
前記内箱３は、外箱２に収納されていないときは、図４のような立方体形状をしている。
図５に示すのは、１枚のシートを用いた場合の内箱３を展開した一例である。
図５において、破線は山折りで、一点鎖線は谷折りで折り曲げることを意味する。
【００１７】
内箱３は、次のように構成される。まず、図５に示すように４枚の側面１１〜１４を、折り線１５ａ、１５ｂ、１６、１７ａ、１７ｂ、１８を折り曲げ、糊代１９ａを反対側の側面１４に貼り付けて角筒状にする。ここで、折り線１５ａと１５ｂの間に設けた耳片２０の中央を谷折りして、折り線１５ａと１５ｂを重ね合わせ側辺１５とする。同様に、折り線１７ａと１７ｂの間に設けた耳片２１の中央を谷折りして、折り線１７ａと１７ｂを重ね合わせ側辺１７とする。
側面１１の上辺と連なる直角三角形状の小片２２ａと、側面１４の上辺と連なる直角三角形上の小片２２ｂとを糊代１９ｂで繋ぎ合わせ、折込片２２とする。小片２２ｂと糊代１９ｂの境界の線分を谷折りで折り曲げ、折曲線２６とする。他の折込片２３、２４、２５、および折曲線２７、２８、２９も同様に形成される。
【００１８】
対向する側辺１５と内箱３の内部で連なる耳片２０には、側辺１５の中央部近くにゴム通し孔３０が設けられ、側辺１７と内箱３の内部で連なる耳片２１には、側辺１７の中央部近くにゴム通し孔３１が設けられる。ゴムばね３２は、両ゴム通し孔３０，３１の間に張られる。
【００１９】
折曲線２６〜２９には谷折りの折り目がついているので、折込片２２〜２５を指先で中箱３の内側に向かって押し込むようにすると、中箱３は、図６に示すように、ゴムばね３２が伸張し、側辺１６と側辺１８とが近づき、内箱３の底面形状は菱形になる。
さらに各折込片を内側に向かって押し込み、ゴムばね３２を伸張させると、図７のように、側面１１と側面１４、および側面１２と側面１３とが重なり合って、中箱３は、短辺と長辺の比が１：２の長方形状の外観を呈する。
【００２０】
この状態の内箱３を封筒２に収納し、差込片端部９ａ、９ｂを差込溝１０ａ、１０ｂに差し込む。このように、封筒２をふさぐことで、ゴムばね３２が元の長さに戻ろうとする力を抑制し、内箱３を平面的形状に維持できる。これにより、封筒２の内部に内箱３を収納した封筒セット１が構成される。
【００２１】
以上の構成において、封筒セット１がカレンダーとして利用される場合、図８に示すように、封筒２の上片４の表側に会社名などを印刷する。内箱３の側面１１〜１４には、カレンダーを印刷し、この内箱３を封筒２に収納して顧客などに配布する。封筒２の上片４に切手を貼って郵送することも可能である。
【００２２】
このカレンダーを受け取った人が、封筒２の蓋片８を開けると、ゴムばね３２の元の長さに戻ろうとする力は抑制を解除され、図７のような平面的状態から、図６のような状態を経て、図４のような立方体状に変形し、封筒２から飛び出す。ここで、折込片２２〜２５が無ければ、ゴムばね３２の収縮と連動して内箱３が変形した結果、立方体にはならず、底面が菱形の四角柱状となる可能性が出てくる。しかし、本実施形態のように４つの折込片２２〜２５を設けておけば、これらの折込片がストッパーとなって、常に、立方体へと戻る。
平面的なカレンダーを予想していた人にとって、箱状の立体が飛び出してくるので意外な感じを受け、一風変わったカレンダーとして印象に残る。
【００２３】
前記した実施形態は例示にすぎず、種々の変形が考えられる。
本考案の封筒セットは、前記した卓上カレンダーとしての利用以外にも、いろいろな用途が考えられる。例えば、内箱の側面にキャラクターや図柄が印刷されるとともに、手書きメッセージを書き込む欄を設けて封筒に収納し、クリスマスカードやバースディカードとして友人知人に送ってもよい。
【００２４】
前記した実施形態では、ゴムばねを２つの耳片を介して設けているが、１組の対向する側辺の各中央付近にゴムばねの両端を接着剤などで固着させてもよい。
【００２５】
また、封筒に収納する内箱は１個とは限らず、小さめのサイコロ状の箱が連続して飛び出すように、複数個の内箱を収納してもよい。
さらに、封筒から飛び出す立体の形状は立方体に限らず、底面が菱形の四角柱などのバリエーションが可能である。
【産業上の利用可能性】
【００２６】
本考案の封筒セットは、カレンダーやグリーティングカードなどの販促用品や文具用品を製造するメーカーによって採用されうる。
【図面の簡単な説明】
【００２７】
【図１】本実施形態の封筒セットの斜視図である。
【図２】本実施形態の封筒セットの封筒が開放された状態を示す図である。
【図３】本実施形態の封筒の展開図である。
【図４】本実施形態の内箱の立体的形状の斜視図である。
【図５】本実施形態の内箱の展開図である。
【図６】本実施形態の内箱の変形途中の形状の斜視図である。
【図７】本実施形態の内箱の平面的形状の斜視図である。
【図８】本実施形態の封筒セットが卓上カレンダーとして利用される状態を示す図である。
【符号の説明】
【００２８】
１  封筒セット
２  封筒
３  内箱
６，８  外側折曲片
７  内側折曲片
９  差込片  
１０（１０ａ、１０ｂ）  差込溝
１１、１２，１３，１４  側面
１５，１７  （ゴムばねの端点を設ける）側辺
２０，２１  耳片
２２，２３，２４，２５  折込片
２６，２７，２８，２９  折曲線
３０，３１  ゴム通し孔
３２  ゴムばね
【図１】
0003143424.tif 000003
【図２】
0003143424.tif 000004
【図３】
0003143424.tif 000005
【図４】
0003143424.tif 000006
【図５】
0003143424.tif 000007
【図６】
0003143424.tif 000008
【図７】
0003143424.tif 000009
【図８】
0003143424.tif 000010